(57)【要約】【課題】反射型液晶ディスプレイを有し、反射型液晶ディスプレイを照明する光源を有さない情報処理装置に用いられて、該情報処理装置の機能を失うことなく、反射型液晶ディスプレイを照射することができる照明装置を提供する。【解決手段】反射型液晶を表示手段とした情報処理装置２０に形成されたＩＣカードスロット２１にアダプタ３０の一端を挿入して、情報処理装置２０に設けられたソケットピンにアダプタ３０のコネクタ部３１ａを連結し、該アダプタ３０の多端のコンセント部３２を照明装置１０のコネクタ部１２と連結して、情報処理装置２０から、アダプタ３０、次いで、照明装置１０のコネクタ部１２、照明装置１０の支持ケーブル１３を通して電力の供給を受けた照明装置１０の照明灯１１により表示手段を照明する。更に、アダプタ３０に形成されているＩＣカードを連結するためのコネクタ部３３ｂにＩＣカードを連結する。【選択図】        図１
2004157236.tif 000002
【特許請求の範囲】
【請求項１】
反射型液晶を用いた表示手段を有しかつ該表示手段を照明するための照明装置を有さない情報処理装置に連結して該情報処理装置から電力の供給を受けて前記表示手段を照明する照明装置において、該照明装置は、前記情報処理装置に周辺機器を接続するために設けられた周辺機器接続部を介して連結され、かつ、前記照明装置及び周辺機器は前記情報処理装置に電気的に接続されることを特徴とする照明装置。
【請求項２】
請求項１に記載の照明装置において、前記照明装置は、該照明装置を前記情報処理装置に連結しかつ前記情報処理装置からの電力を該照明装置に供給するアダプタを介して前記情報処理装置に連結され、前記アダプタは、該アダプタを前記情報処理装置の前記周辺機器接続部に接続するための第１のコネクタ部と、前記周辺機器に接続するための第２のコネクタ部とを有し、これら第１のコネクタ部と第２のコネクタ部を通して前記情報処理装置に前記周辺機器を電気的に接続するようにしたことを特徴とする照明装置。
【請求項３】
請求項２に記載の照明装置において、前記照明装置は、前記表示手段を照明する照明灯と、該照明灯に一体的に設けられた可撓性の支持アームと、該支持アームの一端に一体的に設けられ、該照明装置を前記アダプタを介して前記情報処理装置に連結するコネクタ部とからなることを特徴とする照明装置。
【請求項４】
請求項２または３に記載の照明装置において、前記周辺機器はＩＣカードであり、該ＩＣカードを前記情報処理装置に接続するために該情報処理装置に設けられたＩＣカードスロットに前記アダプタを挿入して、前記第１のコネクタ部を前記情報処理装置に接続し、前記ＩＣカードスロットと前記アダプタとで形成されたスリットに、前記ＩＣカードスロットに挿入可能なＩＣカードよりも薄い形状のＩＣカードを挿入して、前記第２のコネクタ部に連結可能としていることを特徴とする照明装置。
【請求項５】
反射型液晶を用いた表示手段を有しかつ該表示手段を照明するための照明装置を有さない情報処理装置に前記照明装置を着脱自在に連結して、該照明装置に前記情報処理装置から電力を供給して前記表示手段を照明するためのアダプタ装置であって、該アダプタ装置は、前記情報処理装置に周辺機器を接続するために設けられた周辺機器接続部を介して該情報処理装置に連結され、かつ、該アダプタ装置は、周辺機器を前記情報処理装置に接続するための接続部を有することを特徴とするアダプタ装置。
【発明の詳細な説明】
【０００１】
【発明の属する技術分野】
本発明は、表示手段として反射型液晶ディスプレイを用い、しかも、該反射型液晶ディスプレイを照明するための照明装置を有さない携帯情報処理装置、例えば、モバイルコンピュータ、携帯型ゲーム機といった情報処理装置に装着されて前記反射型液晶ディプレイを照明する照明装置及び該照明装置に用いられるアダプタ装置に関し、より詳細には、情報処理装置の周辺機器接続部を利用して情報処理装置に連結して反射型液晶ディスプレイを照明し、かつ、当該情報処理装置に周辺機器を接続することのできる照明装置及び該照明装置に用いられるアダプタ装置に関する。
【０００２】
【従来の技術】
従来、表示手段として反射型液晶ディスプレイを用いる情報処理装置において、暗い環境でも十分な光量の確保を可能とするために、反射型液晶ディスプレイの表示面を照明する照明装置を装着した情報処理装置が特開平１１−３０５８７１号公報に開示されている（特許文献１）。この特開平１１−３０５８７１号公報には、照明装置としてＩＣカード型のライトユニットを用い、該ライトユニットを情報処理装置のＩＣカードスロットに装着して表示面上部から表示面を照明することで、暗い環境でも十分な光量の確保を可能とする情報処理装置が開示されている。
【０００３】
【特許文献１】
特開平１１−３０５８７１号公報
【０００４】
【発明が解決しようとする課題】
しかしながら、上記従来の技術では、照明装置を情報処理装置に装着した時に、情報処理装置のＩＣカードスロットを該照明装置を装着するために占有してしまうため、該ＩＣカードスロットをメモリの拡張や周辺機器の接続といった目的で使用することができなってしまう。換言すると、ＩＣカードスロットに周辺機器を装着して使用する時は、照明装置を使用することができないので、照明装置の無い情報処理装置と同じになってしまい、暗い場所での使用が困難である。
【０００５】
なお、情報処理装置に予め照明装置を内蔵したものもあるが、このような照明装置内蔵型の情報処理装置では、暗い環境での表示面の見易さは向上するものの、部品点数の増加に伴う重量増により可搬性が低下し、製品コストが上昇する。また、昼間時等の十分に明るい状態でのみ使用する場合は、照明装置は不必要な部品となり、照明装置を内蔵させたことによる利点を全く享受できないこととなる。
【０００６】
本発明は、上述の課題を解決するためになされたもので、表示手段として反射型液晶を用い、しかも、反射型液晶を用いた表示手段を照明するための照明装置を持たない情報処理装置に装着して前記反射型液晶の表示手段を照明するとともに、該情報処理装置に周辺機器を接続して使用することを可能とした照明装置を提供することを目的としてなされたものである。
【０００７】
【課題を解決するための手段】
本発明は、反射型液晶を用いた表示手段を有しかつ該表示手段を照明するための照明装置を有さない情報処理装置に連結して該情報処理装置から電力の供給を受けて前記表示手段を照明する照明装置において、該照明装置は、前記情報処理装置に周辺機器を接続するために設けられた周辺機器接続部を介して連結され、かつ、前記照明装置及び周辺機器は前記情報処理装置に電気的に接続されることを特徴とし、もって、情報処理装置に予め設けてあった周辺機器を接続するための周辺機器接続部に照明装置を連結するようにして、暗い環境においても情報処理装置を使用可能とするとともに、前記周辺機器を照明装置に接続するようにして、前記周辺機器を情報処理装置で利用可能とすることを目的としてなされたものである。
【０００８】
更に、前記照明装置は、該照明装置を前記情報処理装置に連結しかつ前記情報処理装置からの電力を該照明装置に供給するアダプタを介して前記情報処理装置に連結され、前記アダプタは、該アダプタを前記情報処理装置の前記周辺機器接続部に接続するための第１のコネクタ部と、前記周辺機器に接続するための第２のコネクタ部とを有し、これら第１のコネクタ部と第２のコネクタ部を通して前記情報処理装置に前記周辺機器を電気的に接続するようにしたことを特徴とし、もって、前記第１のコネクタ部を情報処理装置の周辺機器接続部に連結して前記情報処理装置の表示手段を照明できるようにするとともに、第１のコネクタ部と第２のコネクタ部を通して周辺機器を前記情報処理装置に接続できるようにすることを目的としてなされたものである。
【０００９】
更に、前記照明装置は、前記表示手段を照明する照明灯と、該照明灯に一体的に設けられた可撓性の支持アームと、該支持アームの一端に一体的に設けられ、該照明装置を前記アダプタを介して前記情報処理装置に連結するコネクタ部とからなることを特徴とし、もって、表示手段を照明する必要があるときには、照明灯を前記支持アームによって前記表示手段に効果的に光を照明する位置に保持可能とすることを目的としてなされたものである。
【００１０】
更に、前記照明装置において、前記周辺機器はＩＣカードであり、該ＩＣカードを前記情報処理装置に接続するために該情報処理装置に設けられたＩＣカードスロットに前記アダプタを挿入して、前記第１のコネクタ部を前記情報処理装置に接続し、前記ＩＣカードスロットと前記アダプタとで形成されたスリットに、前記ＩＣカードスロットに挿入可能なＩＣカードよりも薄い形状のＩＣカードを挿入して、前記第２のコネクタ部に連結可能としていることを特徴とし、もって、情報処理装置に形成されている既存のＩＣカードスロットと、本来、該ＩＣカードスロットに装着されるＩＣカードより薄いサイズの既存ＩＣカードを利用して、ＩＣカードスロットに、前記薄いサイズのＩＣカードと合わせた厚さが前記ＩＣカードスロットに収まるサイズのアダプタと前記薄いサイズのＩＣカードとを挿入して、照明装置と前記薄いサイズのＩＣカードの両方をアダプタを介して情報処理装置に連結することができるようにすることを目的としてなされたものである。
【００１１】
更には、反射型液晶を用いた表示手段を有しかつ該表示手段を照明するための照明装置を有さない情報処理装置に前記照明装置を着脱自在に連結して、該照明装置に前記情報処理装置から電力を供給して前記表示手段を照明するためのアダプタ装置であって、該アダプタ装置は、前記情報処理装置に周辺機器を接続するために設けられた周辺機器接続部を介して該情報処理装置に連結され、かつ、該アダプタ装置は、周辺機器を前記情報処理装置に接続するための接続部を有することを特徴とし、もって、情報処理装置に予め設けられている周辺機器を接続するための周辺機器接続部にアダプタ装置を介して照明装置を連結して、該照明装置が情報処理装置から電力の供給を受けて前記表示手段を照明可能とすることで、暗い環境においても情報処理装置を使用可能とするとともに、情報処理装置にアダプタ装置を介して周辺機器を接続可能とすることで、周辺機器を情報処理装置で利用可能とすることを目的としてなされたものである。
【００１２】
【発明の実施の形態】
以下、図面を参照しながら本発明の実施の形態について説明する。なお、全図を通して、同様の作用を示す部分には同一の符号を付してある。
図１は、本発明に係る照明装置の第１の実施の形態を示す外観斜視図で、図中、１０は照明装置であり、該照明装置１０は、情報処理装置２０に設けられている反射型液晶を用いた表示手段（後述する）を照明するために、情報処理装置２０にアダプタ３０を介して連結して使用されるものである。照明装置１０は、照明灯１１と、該照明灯１１をアダプタ３０に着脱自在に連結するためのコネクタ部（電極端子部）１２とが、可撓性の支持アーム（例えば、ケーブル）１３で一体的に連結された構成をしている。アダプタ３０は、一方の側に情報処理装置２０に設けられているソケットピン（後述する）と接続するためのコネクタ部３１ａを有し、他方の側には照明装置１０のコネクタ部１２と接続するためのコンセント部３２、及び、周辺機器と接続するためのコネクタ部３３ｂが形成されている。照明灯１１は、例えば、ＬＥＤ等の発光体を用いたもので、支持アーム（ケーブル）１３内の電源線，接地線を通して照明装置１０のコネクタ部１２の電極端子及び接地端子に接続されている。なお、支持アーム（ケーブル）１３は可撓性のもので、該支持アーム（ケーブル）１３を任意所望の形状に変形（屈曲）させ、照明灯１１からの光が表示手段の表面を効率良く照明できるような位置に照明灯１１の位置を調整して、該照明灯１１をその調整位置に保持することができるようになっている。
【００１３】
また、本発明の照明装置１０がアダプタ３０を介して連結される情報処理装置２０としては、表示手段として反射型液晶を用いたものでありかつ反射型液晶を用いた表示手段を照明する照明装置を有さないものであれば、いずれのものにも限定されないが、ここでは、例えば、モバイルコンピュータ、携帯型ゲーム機といった携帯情報処理装置とする。また、携帯情報処理装置２０には、一般的に、周辺機器を接続するための周辺機器接続部２１が形成されており、ここでは、周辺機器の一例としてＩＣカードを用いることとし、該周辺機器は携帯情報処理装置に設けられているＩＣカードスロットを通して携帯情報処理装置に接続されるものとする。アダプタ３０のコンセント部３２と照明装置１０のコネクタ部１２を連結して、アダプタ３０をＩＣカードスロット２１に装着して、携帯情報処理装置２０に設けられているソケットピンにアダプタ３０のコネクタ部３１ａを連結する。このようにして、携帯情報処理装置２０の電極線と、アダプタ３０の電極線に結線され、更に、一体的に連結されている照明装置１０のコネクタ部１２及び支持アーム（ケーブル）１３のそれぞれに設けられている電極線が結線されるので、携帯情報処理装置２０からアダプタ３０を通って照明装置１０の照明灯１１へ電力が供給されて、照明灯１１により表示手段を照明することができる。
【００１４】
なお、上述のように、アダプタ３０と照明装置１０は、自由に着脱可能な構造となっており、照明灯１１が不必要な時には、アダプタ３０から照明装置１０を分離して取り外して、携帯情報処理装置２０を携帯に便利なように軽くできるとともに、携帯情報処理装置２０を携帯に便利な凹凸の少ない形態にすることができる。また、アダプタ３０から照明装置１０を分離可能であるので、アダプタ３０と照明装置１０のいずれか一方が故障したときなどは、故障した一方のみを修理または交換することができる。
【００１５】
図２は、図１に示したアダプタ３０に連結した照明装置１０の例を示す外観斜視図で、アダプタ３０のコンセント部３２に、照明装置１０のコネクタ部１２を連結したときの照明装置１０を示した図である。照明装置１０により携帯情報処理装置２０の表示手段を照明するときには、図示したように、アダプタ３０のコンセント部３２に、支持アーム（ケーブル）１３により照明灯１１と一体的に連結している照明装置１０のコネクタ部１２を連結することで、アダプタ３０と照明装置１０とを電気的に接続する。
【００１６】
図３は、携帯情報処理装置２０へアダプタ３０を介して連結した照明装置１０の例を示した外観斜視図で、図２に示したように、アダプタ３０のコンセント部３２と照明装置１０のコネクタ部１２とを連結し、更に、アダプタ３０のコネクタ部３１ａ（図示していない）を携帯情報処理装置２０に設けられているソケットピンに連結することで、照明装置１０と携帯情報処理装置２０とを連結する。このように、照明装置１０と携帯情報処理装置２０とを連結することで、照明装置１０と携帯情報処理装置２０の電源線と接地線がそれぞれ結線され、照明灯１１が、携帯情報処理装置２０からアダプタ３０と、照明装置１０のコネクタ部１２と支持アーム（ケーブル）１３を通して電力の供給を受けて携帯情報処理装置２０の表示手段を照明する。このとき、電源は、携帯情報処理装置２０に設けられているソケットピンが持つ既存の電源線，接地線を利用し、アダプタ３０において、この電極線，接地線を分岐させる。分岐された電源線，接地線を、アダプタ３０のコンセント部３２へ接続し、照明装置１０のコネクタ部１２へ結線する。上述のようにして、携帯情報処理装置２０側の回路配置を変更することなく本発明の照明装置１０を接続して利用することができる。
【００１７】
図４は、図３に示した照明装置１０とアダプタ３０の回路の一例を示す図で、携帯情報処理装置に設けられているソケットピンと連結するアダプタ３０のコネクタ部３１ａと、アダプタ３０に設けられたＩＣカードと連結するためのコネクタ部３３ｂには、同じ端子同士が結線されている。そのうち電源線１と接地線２は、アダプタ３０内で分岐しており、分岐した線はアダプタ３０を照明灯１１のコネクタ部１２と接続するコンセント部３２へ結線され、照明灯１１の回路となる。上述のようにして、照明装置１０は、携帯情報処理装置から電力の供給を受けることができるので、照明装置１０には電源を設けなくてもよい。また、一方が、ソケットピンの信号線と結線されるアダプタ３０の信号線３は、他方がＩＣカードと接続するためのコネクタ部３３ｂへ結線され、ＩＣカードの回路となる。
【００１８】
図５は、本発明に係るアダプタ装置の第１の実施の形態を示す外観斜視図で、アダプタ３０とＩＣカード４０とを連結する前の図である。携帯情報処理装置２０のＩＣカードスロット２１へアダプタ３０を装着して、アダプタ３０のコネクタ部３１ａと携帯情報処理装置２０に設けられているソケットピンとが連結される。アダプタ３０のコネクタ部３３ｂには、ＩＣカード４０を連結することができる。このアダプタ３０のコネクタ部３３ｂは、携帯情報処理装置２０に設けられているソケットピンと同じ作用を示すコネクタ部であるので、ＩＣカード４０には何ら変更を加えることなく、ＩＣカード４０をアダプタ３０のコネクタ部３３ｂに接続することができる。
【００１９】
図６は、携帯情報処理装置２０のＩＣカードスロット２１にＩＣカード４０を装着したときの例を示す図で、図６（Ａ）は斜視図、図６（Ｂ）は側面図であり、図中、ＩＣカード４０のコネクタ部４３ｂを、携帯情報処理装置２０に設けられているソケットピン２１ａに連結することで、携帯情報処理装置のソケットピン２１ａの電極線，接地線，信号線がＩＣカード４０のコネクタ部４３ｂの電極線，接地線，信号線に結線されるので、携帯情報処理装置２０においてＩＣカード４０を使用することができる。
【００２０】
図７は、携帯情報処理装置２０のＩＣカードスロット２１にアダプタ３０を装着し、更に、アダプタ３０にＩＣカード４０を装着したときの例を示す図で、図７（Ａ）は斜視図、図７（Ｂ）は側面図である。照明灯１１を連結可能なアダプタ３０をＩＣカードスロット２１に挿入して、アダプタ３０のコネクタ部３１ａを携帯情報処理装置２０に設けられたソケットピン２１ａに連結し、次いで、ＩＣカード４０のコネクタ部４３ｂをアダプタ３０のコネクタ部３３ｂに連結することで、携帯情報処理装置のソケットピン２１ａの電極線，接地線，信号線が、アダプタ３０のコネクタ部３１ａの電極線，接地線，信号線に結線され、次いで、アダプタ３０のコネクタ部３３ｂの電極線，接地線，信号線が、ＩＣカード４０のコネクタ部４３ｂの電極線，接地線，信号線に結線されるので、携帯情報処理装置２０においてＩＣカード４０を使用することができる。更に、アダプタ３０のコンセント部３２に、上述の照明装置１０のコネクタ部１２を連結し、携帯情報処理装置２０の電極線と接地線を照明装置１０の電極線と接地線のそれぞれに結線して、照明灯１１を使用可能とすることで、携帯情報処理装置２０において、照明装置１０とＩＣカード４０をともに使用できることとなる。
【００２１】
なお、携帯情報処理装置２０とＩＣカード４０との間にアダプタ３０を介しても、ＩＣカード４０の機能を損なうことはなく、また、照明装置の表示手段を照明する機能を損なうこともない。また、図示したように、ＩＣカード４０の長さとＩＣカードスロット２１の奥行が同一であった場合は、ＩＣカードスロット２１にアダプタ３０を装着することにより、コネクタ部３１ａ，３３ｂの長さの分ＩＣカード４０が携帯情報処理装置２０から外部へ露出することとなるが、ＩＣカード４０の機能には影響しない。
【００２２】
図８は、本発明に係る照明装置の一実施例を示す図で、図中、コンパクトフラッシュタイプＩＩ規格（厚さ５ｍｍ）のカードスロット２１を有する携帯情報処理装置２０に、１．７ｍｍ以下の厚さのアダプタ３０と、該アダプタ３０に連結するためのコネクタ部１２と照明灯１１とが支持アーム（ケーブル）１３を介して一体的に連結されている本発明の照明装置１０とを連結して、照明灯１１により携帯情報処理装置２０の表示手段を照明するとともに、アダプタ３０にコンパクトフラッシュタイプＩ規格（厚さ３．３ｍｍ）のメモリカード４０を連結している。このように、コンパクトフラッシュの規格の違いによるＩＣカードの厚さの差を利用し、ＩＣカードスロット２１の中にアダプタ３０とＩＣカード４０を挿入することで、情報処理装置２０において、１つのＩＣカードスロットを利用して照明装置とＩＣカードとをともに使用することができる。
【００２３】
図９は、本発明に係るアダプタ装置の一実施例を示す図で、例えば、スマートメディアやＳＤカードといったメモリカード４０をＰＣカード規格に適合させるためのアダプタ３０を示したもので、図中、アダプタ３０は、該アダプタ３０の端部に照明用コンセント部３２を備え、照明用コンセント部３２に照明装置１０のコネクタ部１２を接続している。さらに、アダプタ３０には、メモリカード４０のコネクタ部４３ｂと接続するためのメモリカード用コネクタ部３３ｂが設けられており、このアダプタ３０によると、元々ＩＣカードスロット２１に適合していないＩＣカード（メモリカード）を情報処理装置に連結することもできる。
【００２４】
図１０は、照明装置１０と、ＩＣカード４０と、該照明装置１０とＩＣカード４０とを装着する携帯情報処理装置２０の一例を説明するための図で、図１０（Ａ）は、照明装置１０及びＩＣカード４０を携帯情報処理装置２０のＩＣカードスロットに挿入する前の図、図１０（Ｂ）が照明装置１０及びＩＣカード４０を携帯情報処理装置２０のＩＣカードスロット２１に挿入した後の図である。携帯情報処理装置２０には、ＩＣカードスロット（図示しない）と、各種情報を表示する表示手段２２と、携帯情報処理装置２０を操作するためのスイッチ等の操作ボタン２３とが形成されている。ＩＣカードスロットに、アダプタ３０と、該アダプタ３０に連結するためのコネクタ部１２と照明灯１１とが支持アーム（ケーブル）１３を介して一体的に連結されている本発明の照明装置１０を挿入し、アダプタ３０に設けられているコネクタ部（図示しない）とＩＣカード４０のコネクタ部（図示しない）とを連結する。このようにして、携帯情報処理装置に設けられているＩＣカードスロットを利用して、携帯情報処理装置において照明装置とＩＣカードをともに使用することができる。
【００２５】
なお、以上には、照明装置１０をアダプタ装置３０を介して情報処理装置３０に装着するようにした場合の例について説明したが、本発明は、上記実施例に限定されるものではなく、支持アーム（ケーブル）を直接アダプタに一体的に取り付けるようにしてもよい。
【００２６】
【発明の効果】
本発明の照明装置によると、反射型液晶を表示手段として用い、しかも、表示手段を照明するための照明装置を有さない情報処理装置に装着して表示手段を照明するので、情報処理装置を暗い場所でも用いることができ、更に、その際に、情報処理装置にＩＣカード等の周辺機器をも接続できるようにしたもので、情報処理装置の持つ機能を失うこと無く使用できる場所・時間帯を広げることが可能となり、しかも、情報処理装置側には、照明装置を取り付けるための特別な部品を設ける必要がない。
【図面の簡単な説明】
【図１】本発明に係る照明装置の第１の実施の形態を示す外観斜視図である。
【図２】図１に示したアダプタに連結した照明装置の例を示す外観斜視図である。
【図３】携帯情報処理装置へアダプタを介して連結した照明装置の例を示した外観斜視図である。
【図４】図３に示した照明装置とアダプタの回路の一例を示す図である。
【図５】本発明に係るアダプタ装置の第１の実施の形態を示す外観斜視図である。
【図６】携帯情報処理装置のＩＣカードスロットにＩＣカードを装着したときの例を示す斜視図、及び側面図である。
【図７】携帯情報処理装置のＩＣカードスロットにアダプタを装着し、更に、アダプタにＩＣカードを装着したときの例を示す斜視図、及び側面図である。
【図８】本発明に係る照明装置の一実施例を示す図である。
【図９】本発明に係るアダプタ装置の一実施例を示す図である。
【図１０】照明装置と、ＩＣカードと、該照明装置とＩＣカードとを装着する携帯情報処理装置の一例を説明するための図である。
【符号の説明】
１…電源線、２…接地線、３…信号線、１０…照明装置、１１…照明灯、１２…照明装置のコネクタ部（電極端子部）、１３…支持アーム（ケーブル）、３３ｂ…ＩＣカード接続用コネクタ部、２０…情報処理装置（携帯情報処理装置）、２０ａ…照明装置接続用コネクタ部（ソケットピン）、２１…周辺機器接続部（ＩＣカードスロット）、２２…表示手段、２３…操作ボタン、３０…アダプタ、３１ａ…情報処理装置接続用コネクタ部、３２…照明装置接続用コンセント部、４０…周辺機器（ＩＣカード）、４３ｂ…アダプタ接続用コネクタ部。
【図１】
2004157236.tif 000003
【図２】
2004157236.tif 000004
【図３】
2004157236.tif 000005
【図４】
2004157236.tif 000006
【図５】
2004157236.tif 000007
【図６】
2004157236.tif 000008
【図７】
2004157236.tif 000009
【図８】
2004157236.tif 000010
【図９】
2004157236.tif 000011
【図１０】
2004157236.tif 000012